(57)【要約】【課題】天井吊り下げ物の位置調整を行うことができる範囲を従来よりも広げて作業効率を改善する。【解決手段】支持装置１は、上段フレーム材１１，１２に形成されたスリット２６に沿って吊り部材連結部材１６又は直交連結部材１５が上段フレーム材１１，１２の長手方向へ相対移動するとき、吊り部材連結部材１６及び直交連結部材１５が互いに干渉することなく、吊り部材連結部材１６又は直交連結部材１５が上段フレーム材１１，１２の端部近傍まで移動可能であり、下段フレーム材１３，１４に形成されたスリット２６に沿って支持部材４又は直交連結部材１５が下段フレーム材１３，１４の長手方向へ相対移動するとき、支持部材４及び直交連結部材１５が互いに干渉することなく、支持部材４又は直交連結部材１５が下段フレーム材１３，１４の端部近傍まで移動可能な構成である。【選択図】図２
2020133363.tif 000002
【特許請求の範囲】
【請求項１】
天井吊り下げ物を天井構造から吊り下げた状態に支持する支持装置であって、
上面及び下面によって挟まれた内側に中空空間を有し、前記上面及び前記下面のうちの少なくとも一方の面に長手方向に沿って延びるスリットが形成された一対の上段フレーム材と、
上面及び下面によって挟まれた内側に中空空間を有し、前記上面及び前記下面のうちの少なくとも一方の面に長手方向に沿って延びるスリットが形成され、前記一対の上段フレーム材の下面側に配置される一対の下段フレーム材と、
前記一対の上段フレーム材と前記一対の下段フレーム材とを互いに直交させた状態で井桁状に連結する直交連結部材と、
前記天井構造から垂下する吊り部材を前記一対の上段フレーム材の上面に連結する吊り部材連結部材と、
前記一対の下段フレーム材の下面に装着され、前記天井吊り下げ物を吊り下げた状態で支持する支持部材と、
を備え、
前記上段フレーム材に形成された前記スリットに沿って前記吊り部材連結部材又は前記直交連結部材が前記上段フレーム材の長手方向へ相対移動するとき、前記吊り部材連結部材及び前記直交連結部材が互いに干渉することなく、前記吊り部材連結部材又は前記直交連結部材が前記上段フレーム材の長手方向端部近傍まで移動可能であり、
前記下段フレーム材に形成された前記スリットに沿って前記支持部材又は前記直交連結部材が前記下段フレーム材の長手方向へ相対移動するとき、前記支持部材及び前記直交連結部材が互いに干渉することなく、前記支持部材又は前記直交連結部材が前記下段フレーム材の長手方向端部近傍まで移動可能であることを特徴とする支持装置。
【請求項２】
前記直交連結部材は、前記上段フレーム材における中空空間の下部領域を占有して前記上段フレーム材の下面に取り付けられ、
前記吊り部材連結部材は、前記上段フレーム材における中空空間の前記下部領域を除く領域を占有して前記吊り部材を前記上段フレーム材の上面に連結することを特徴とする請求項１に記載の支持装置。
【請求項３】
前記直交連結部材は、前記下段フレーム材における中空空間の上部領域を占有して前記下段フレーム材の上面に取り付けられ、
前記支持部材は、前記下段フレーム材における中空空間の前記上部領域を除く領域を占有して前記天井吊り下げ物を前記下段フレーム材の下面に連結することを特徴とする請求項１又は２に記載の支持装置。
【請求項４】
前記上段フレーム材に形成される前記スリットは、前記上段フレーム材の下面に形成され、
前記直交連結部材は、前記上段フレーム材に形成された前記スリットに沿って前記上段フレーム材の長手方向へ移動することを特徴とする請求項１乃至３のいずれかに記載の支持装置。
【請求項５】
前記一対の下段フレーム材を所定の間隔で相互に連結する連結バンド、
を更に備えることを特徴とする請求項４に記載の支持装置。
【請求項６】
前記下段フレーム材に形成される前記スリットは、前記下段フレーム材の下面に形成され、
前記支持部材は、前記下段フレーム材に形成された前記スリットに沿って前記下段フレーム材の長手方向へ移動することを特徴とする請求項１乃至５のいずれかに記載の支持装置。
【請求項７】
前記下段フレーム材に装着される一対の前記支持部材を所定の間隔で相互に連結し、前記一対の支持部材のうちの一方の支持部材が前記下段フレーム材の長手方向へ移動するとき、他方の支持部材を同一方向へ移動させる連動部材、
を更に備えることを特徴とする請求項６に記載の支持装置。
【発明の詳細な説明】
【技術分野】
【０００１】
本発明は、支持装置に関し、特に空気調和機などの天井吊り下げ物を天井構造から吊り下げた状態で支持する支持装置に関する。
【背景技術】
【０００２】
従来、空気調和機などの天井吊り下げ物を天井構造から吊り下げた状態に支持する支持装置において、天井吊り下げ物を天井パネルの開口部に合わせるための位置調整を簡単にできるようにした装置が提案されている（例えば特許文献１）。この支持装置は、天井吊り下げ物を支持する支持ボルトを大径の装着孔に挿通し、支持ボルトの位置を装着孔の範囲内で水平方向に移動させることで位置調整を行うことができる構成である。
【０００３】
しかしながら、上述した支持装置は、天井吊り下げ物の位置調整を行うことができる範囲が装着孔のサイズに依存しており、半径数ｃｍ程度の範囲に限られるため、位置調整を行う際の自由度が低い。そのため、従来の支持装置を用いる場合、天井スラブなどの天井構造に対して吊りボルトを取り付ける際には、吊りボルトの取り付け位置を設計上の正規の位置から数ｃｍ程度の範囲内に取り付けなければならない。
【０００４】
ところが、建造物が新築される場合、空気調和機などの天井吊り下げ物の設置に関する設計が度々変更されることがある。例えば、天井吊り下げ物の設置方向が変更されたり、天井吊り下げ物のサイズが変更されたりすることがある。このような設計変更においては、天井吊り下げ物の設置位置が数ｃｍを超える範囲で変更になることもある。そのような場合、初期の設計図面に基づいて天井構造に吊りボルトが取り付けられていると、上述した従来の支持装置を用いて適切な状態に天井吊り下げ物を設置することが困難である。
【先行技術文献】
【特許文献】
【０００５】
【特許文献１】特開２０１７−２１８８３５号公報
【発明の概要】
【発明が解決しようとする課題】
【０００６】
上述のように、従来の支持装置は、天井吊り下げ物の位置調整を行うことができる範囲が狭いため、天井構造に吊りボルトを設置する際には、天井吊り下げ物のサイズや設置方向を考慮しつつ、天井吊り下げ物を適切な位置に調整できるように吊りボルトを設計上の正規の位置から数ｃｍの範囲内に取り付けなければならず、作業効率が悪いという問題がある。
【０００７】
特に、建造物が新築される場合は、初期の設計図面に基づいて予めデッキプレートにインサートが設置され、そのデッキプレートの上側に天井スラブが打設される。ところが、その後の設計変更によって天井吊り下げ物のサイズや設置方向が初期の設計図面から変更されると、デッキプレートに設置したインサートを利用して吊りボルトを取り付けることができなくなる。そのため、作業者は、最新の設計図面に基づいて天井構造にあと施工でアンカーを設置し、そのアンカーに対して吊りボルトを設置しなければならなくなり、作業効率が更に低下する。
【０００８】
そこで、本発明は、上記課題を解決するためになされたものであり、天井吊り下げ物の位置調整を行うことができる範囲を従来よりも広くすることにより、作業効率を改善することができる支持装置を提供することを目的とする。
【課題を解決するための手段】
【０００９】
上記目的を達成するため、第１に、本発明は、天井吊り下げ物(100)を天井構造から吊り下げた状態に支持する支持装置(1)であって、上面及び下面によって挟まれた内側に中空空間(25)を有し、前記上面及び前記下面のうちの少なくとも一方の面に長手方向に沿って延びるスリット(26)が形成された一対の上段フレーム材(11,12)と、上面及び下面によって挟まれた内側に中空空間(25)を有し、前記上面及び前記下面のうちの少なくとも一方の面に長手方向に沿って延びるスリット(26)が形成され、前記一対の上段フレーム材(11,12)の下面側に配置される一対の下段フレーム材(13,14)と、前記一対の上段フレーム材(11,12)と前記一対の下段フレーム材(13,14)とを互いに直交させた状態で井桁状に連結する直交連結部材(15)と、前記天井構造から垂下する吊り部材(110)を前記一対の上段フレーム材(11,12)の上面に連結する吊り部材連結部材(16)と、前記一対の下段フレーム材(13,14)の下面に装着され、前記天井吊り下げ物(100)を吊り下げた状態で支持する支持部材(4)と、を備え、前記上段フレーム材(11,12)に形成された前記スリット(26)に沿って前記吊り部材連結部材(16)又は前記直交連結部材(15)が前記上段フレーム材(11,12)の長手方向へ相対移動するとき、前記吊り部材連結部材(16)及び前記直交連結部材(15)が互いに干渉することなく、前記吊り部材連結部材(16)又は前記直交連結部材(15)が前記上段フレーム材(11,12)の長手方向端部近傍まで移動可能であり、前記下段フレーム材(13,14)に形成された前記スリット(26)に沿って前記支持部材(4)又は前記直交連結部材(15)が前記下段フレーム材(13,14)の長手方向へ相対移動するとき、前記支持部材(4)及び前記直交連結部材(15)が互いに干渉することなく、前記支持部材(4)又は前記直交連結部材(15)が前記下段フレーム材(13,14)の長手方向端部近傍まで移動可能であることを特徴とする構成である。
【００１０】
第２に、本発明は、上記第１の構成を有する支持装置(1)において、前記直交連結部材(15)は、前記上段フレーム材(11,12)における中空空間(25)の下部領域(R2)を占有して前記上段フレーム材(11,12)の下面に取り付けられ、前記吊り部材連結部材(16)は、前記上段フレーム材(11,12)における中空空間(25)の前記下部領域(R2)を除く領域(R1)を占有して前記吊り部材(110)を前記上段フレーム材(11,12)の上面に連結することを特徴とする構成である。
【００１１】
第３に、本発明は、上記第１又は第２の構成を有する支持装置(1)において、前記直交連結部材(15)は、前記下段フレーム材(13,14)における中空空間(25)の上部領域(R3)を占有して前記下段フレーム材(13,14)の上面に取り付けられ、前記支持部材(4)は、前記下段フレーム材(13,14)における中空空間(25)の前記上部領域(R3)を除く領域(R4)を占有して前記天井吊り下げ物(100)を前記下段フレーム材(13,14)の下面に連結することを特徴とする構成である。
【００１２】
第４に、本発明は、上記第１乃至第３のいずれかの構成を有する支持装置(1)において、前記上段フレーム材(11,12)に形成される前記スリット(26)は、前記上段フレーム材(11,12)の下面に形成され、前記直交連結部材(15)は、前記上段フレーム材(11,12)に形成された前記スリット(26)に沿って前記上段フレーム材(11,12)の長手方向へ移動することを特徴とする構成である。
【００１３】
第５に、本発明は、上記第４の構成を有する支持装置(1)において、前記一対の下段フレーム材(13,14)を所定の間隔で相互に連結する連結バンド(8)を更に備えることを特徴とする構成である。
【００１４】
第６に、本発明は、上記第１乃至第５のいずれかの構成を有する支持装置(1)において、前記下段フレーム材(13,14)に形成される前記スリット(26)は、前記下段フレーム材(13,14)の下面に形成され、前記支持部材(4)は、前記下段フレーム材(13,14)に形成された前記スリット(26)に沿って前記下段フレーム材(13,14)の長手方向へ移動することを特徴とする構成である。
【００１５】
第７に、本発明は、上記第６の構成を有する支持装置(1)において、前記下段フレーム材(13,14)に装着される一対の前記支持部材(4,4)を所定の間隔で相互に連結し、前記一対の支持部材(4,4)のうちの一方の支持部材(4)が前記下段フレーム材の長手方向へ移動するとき、他方の支持部材(4)を同一方向へ移動させる連動部材(7)を更に備えることを特徴とする構成である。
【発明の効果】
【００１６】
本発明によれば、天井吊り下げ物の位置調整を行うことができる範囲を従来よりも広くすることにより、作業効率を改善することができるようになる。また、例えば建造物が新築される場合において天井構造に設置される天井吊り下げ物のサイズや設置方向が初期の設計から変更されたとしても、初期の設計に基づいて設置された吊りボルトなどの吊り部材を利用して天井吊り下げ物を適切な位置に設置することが可能であり、あと施工で行われるアンカーの設置作業の頻度を低減することができる。
【図面の簡単な説明】
【００１７】
【図１】第１実施形態における支持装置の構成例を示す斜視図である。
【図２】第１実施形態の支持装置が天井吊り下げ物を吊り下げて支持する状態を示す斜視図である。
【図３】上段フレーム材及び下段フレーム材の構成例を示す図である。
【図４】上段フレーム材に設けられる連結部を示す図である。
【図５】下段フレーム材に対する支持部材の取り付け態様の一例を示す図である。
【図６】直交連結部材の取り付け態様の一例を示す図である。
【図７】上段フレーム材と下段フレーム材とを直交連結部材が連結した状態の断面構造を示す図である。
【図８】連結バンド及び連動部材の取り付け態様を例示する図である。
【図９】第１本実施形態の支持装置を使用した場合の天井吊り下げ物のＹ方向の移動範囲を示す図である。
【図１０】第１実施形態の支持装置を使用した場合の天井吊り下げ物のＸ方向の移動範囲を示す図である。
【図１１】支持装置による天井吊り下げ物の位置調整可能な範囲を示す図である。
【図１２】第２実施形態の支持装置が天井吊り下げ物を吊り下げて支持する状態を示す斜視図である。
【図１３】下段フレーム材に対する支持部材の取り付け態様の一例を示す図である。
【図１４】直交連結部材の取り付け態様の一例を示す図である。
【図１５】第２実施形態の支持装置を使用した場合の天井吊り下げ物のＹ方向の移動範囲を示す図である。
【図１６】第２実施形態の支持装置を使用した場合の天井吊り下げ物のＸ方向の移動範囲を示す図である。
【図１７】第３実施形態の支持装置が天井吊り下げ物を吊り下げて支持する状態を示す斜視図である。
【図１８】上段フレーム材に対する吊り部材連結部材の取り付け態様の一例を示す図である。
【図１９】第３実施形態の支持装置を使用した場合の天井吊り下げ物のＹ方向の移動範囲を示す図である。
【図２０】第３実施形態の支持装置を使用した場合の天井吊り下げ物のＸ方向の移動範囲を示す図である。
【図２１】第４実施形態の支持装置が天井吊り下げ物を吊り下げて支持する状態を示す斜視図である。
【図２２】直交連結部材の取り付け態様の一例を示す図である。
【図２３】第４実施形態の支持装置を使用した場合の天井吊り下げ物のＹ方向の移動範囲を示す図である。
【図２４】第４実施形態の支持装置を使用した場合の天井吊り下げ物のＸ方向の移動範囲を示す図である。
【発明を実施するための形態】
【００１８】
以下、本発明の好ましい実施形態について図面を参照しつつ詳細に説明する。尚、以下において参照する各図面では互いに共通する部材に同一符号を付しており、それらについての重複する説明は省略する。
【００１９】
（第１実施形態）
図１は、本発明の一実施形態である支持装置１の構成例を示す斜視図である。図２は、支持装置１が天井吊り下げ物１００を吊り下げて支持する状態を示す斜視図である。この支持装置１は、空気調和機や照明器具、ダクト、各種配管などの様々な天井吊り下げ物１００を天井スラブなどの天井構造から吊り下げた状態で支持する装置である。本実施形態では、天井吊り下げ物１００の一例として、天井設置タイプの空気調和機１０１を例示する。尚、図１及び図２に示すＸＹＺ三次元直交座標系は、他の図に示すＸＹＺ三次元直交座標系と共通する座標系である。
【００２０】
図１及び図２に示すように、支持装置１は、Ｙ方向に沿って配置される一対の上段フレーム材１１，１２と、Ｘ方向に沿って配置される一対の下段フレーム材１３，１４とが井桁状に組み付けられて構成される矩形枠体２を有している。支持装置１は、その矩形枠体２の上段フレーム材１１，１２に対して吊りボルトなどの複数の吊り部材１１０が連結され、天井構造に取り付けられる。また、支持装置１は、下段フレーム材１３，１４に対して支持部材４が取り付けられ、その支持部材４を介して天井吊り下げ物１００を吊り下げた状態で支持する。
【００２１】
矩形枠体２は、一対の上段フレーム材１１，１２と、一対の上段フレーム材１１，１２の下面側に配置される一対の下段フレーム材１３，１４と、それら一対の上段フレーム材１１，１２と一対の下段フレーム材１３，１４の４つの交点に配置される直交連結部材１５とを備えて構成される。直交連結部材１５は、一対の上段フレーム材１１，１２と一対の下段フレーム材１３，１４とを互いに直交させた状態で井桁状に連結する部材である。本実施形態の支持装置１は、直交連結部材１５が上段フレーム材１１，１２の長手方向（Ｙ方向）に沿って移動可能である。そのため、矩形枠体２における４つの交点の位置を、Ｙ方向に変位させることができる。
【００２２】
図３は、上段フレーム材１１，１２及び下段フレーム材１３，１４の構成例を示す図である。上段フレーム材１１，１２及び下段フレーム材１３，１４は、例えばリップ溝形鋼又はレースウェイなどの鋼材によって構成される。図３（ａ）に示すように、フレーム材１１，１２，１３，１４は、矩形状の断面を構成する４つの壁面２１，２２，２３，２４を有し、それら４つの壁面２１，２２，２３，２４の内側に中空空間２５を有している。例えばフレーム材１１，１２，１３，１４は、図３（ｂ）に示すように長方形の断面形状となっている。その長方形の断面形状において長辺を成す壁面２１，２２が上下方向に配置される。そしてフレーム材１１，１２，１３，１４は、長辺を成す２つの壁面２１，２２のうちの一方の壁面２１に形成されるスリット２６を有している。このスリット２６は、壁面２１の幅方法中央部においてフレーム材１１，１２，１３，１４の長手方向に沿って一方の端部から他方の端部まで形成されている。そのため、フレーム材１１，１２，１３，１４を構成する４つの壁面２１，２２，２３，２４のうちの１つの壁面２１は、中央のスリット２６によって左右２つの壁部２１ａ，２１ｂに分断された構造となっている。そして本実施形態の支持装置１は、上段フレーム材１１，１２においてスリット２６が形成されている壁面２１を下面に向けて設置すると共に、下段フレーム材１３，１４においてもスリット２６が形成されている壁面２１を下面に向けて設置することによって矩形枠体２が形成されている。すなわち、本実施形態の矩形枠体２は、上段フレーム材１１，１２及び下段フレーム材１３，１４の双方においてスリット２６が形成されている壁面２１が下面となり、スリット２６が形成されていない壁面２２が上面となる。
【００２３】
尚、スリット２６によって分断される壁部２１ａ，２１ｂは、必ずしも壁面２２に平行であるものに限られず、例えば図３（ｂ）に示すように中空空間２５に向けて傾斜したものであっても構わない。
【００２４】
図１及び図２に戻り、支持装置１は、上段フレーム材１１，１２の上面側所定位置に天井構造から垂下する吊りボルトなどの吊り部材１１０を連結する連結部３を有している。すなわち、上段フレーム材１１の上面において、長手方向中心から＋Ｙ方向及び−Ｙ方向に所定距離となる２箇所の位置に連結部３が設けられている。同様に、上段フレーム材１２の上面において、長手方向中心から＋Ｙ方向及び−Ｙ方向に所定距離となる２箇所の位置に連結部３が設けられる。これら４箇所の連結部３には、吊り部材連結部材１６が取り付けられる。この吊り部材連結部材１６に対して吊り部材１１０が連結されることにより、上段フレーム材１１，１２の上面側４箇所の連結部３に対して吊り部材１１０が連結される。
【００２５】
図４は、上段フレーム材１１，１２に設けられる連結部３を示す図である。図４（ａ）に示すように、上段フレーム材１１，１２の連結部３は、上段フレーム材１１，１２の上面（壁面２２）に形成される孔２７と、その孔２７に装着される吊り部材連結部材１６とを備えて構成される。吊り部材連結部材１６は、吊り部材１１０を連結して保持する連結保持金具３０と、ボルト３４と、ナット３５とを備えている。連結保持金具３０は、例えば孔２７と同径の孔３２が形成された長方形状の金属平板の一端に吊り部材１１０を保持するためにＵ字状に切り欠いた保持部３１を有し、他端に下方に折り曲げられた係止部３３を有する。係止部３３は、上段フレーム材１１，１２の側面と係合することにより、連結保持金具３０の回転を防止して連結保持金具３０の姿勢を安定化させる機能を有している。また、ボルト３４の雄螺子部分の直径は、吊り部材１１０の直径と略同径であり、上段フレーム材１１，１２に形成されているスリット２６の幅よりも小さい直径である。
【００２６】
そして連結保持金具３０の孔３２が上段フレーム材１１，１２の上面に形成された孔２７と一致するように上段フレーム材１１，１２の上面に配置された状態で、ボルト３４が上段フレーム材１１，１２の下面側から孔２７，３２に挿通され、上段フレーム材１１，１２の上面側に突出するボルト３４の先端部に対してナット３５が装着されることにより、吊り部材連結部材１６が上段フレーム材１１，１２の上面に取り付けられる。
【００２７】
図４（ｂ）は、吊り部材連結部材１６が上段フレーム材１１，１２の上面に取り付けられた状態の断面構造を示している。図４（ｂ）に示すように、吊り部材連結部材１６は、上段フレーム材１１，１２の上側の領域に取り付けられる。特に、上段フレーム材１１，１２の内側にはボルト３４のボルト頭部３４ａが配置され、このボルト頭部３４ａは、上段フレーム材１１，１２の中空空間２５を上部領域Ｒ１と下部領域Ｒ２とに二分割したときに上部領域Ｒ１に収まるように取り付けられる。本実施形態では、上部領域Ｒ１及び下部領域Ｒ２は、上段フレーム材１１，１２の内側の中空空間２５を上下に二等分した領域となっている。ただし、上部領域Ｒ１と下部領域Ｒ２とは、必ずしも中空空間２５を二等分した領域には限られず、一方が他方よりも大きい領域であっても構わない。このように吊り部材連結部材１６が上段フレーム材１１，１２の中空空間２５において上部領域Ｒ１に取り付けられることで、中空空間２５の下部領域Ｒ２が空き領域となる。
【００２８】
上記のような吊り部材連結部材１６において、連結保持金具３０の保持部３１を挟み込むようにして吊り部材１１０に２つのナットを締着させることにより、吊り部材１１０が吊り部材連結部材１６に固定される。
【００２９】
本実施形態では、吊り部材連結部材１６が連結保持金具３０を介して吊り部材１１０を矩形枠体２に固定する場合を例示するが、矩形枠体２に対する吊り部材１１０の取り付け態様はこれに限られるものではない。例えば、吊り部材１１０の下端部を孔２７に挿通し、その下端部にナットを締着することにより、吊り部材１１０を矩形枠体２に連結するようにしても良い。この場合、上段フレーム材１１，１２の上面側にもナットを締着することが好ましい。このような取り付け態様では、上段フレーム材１１，１２の上面を挟んで吊り部材１１０に装着される一対のナットによって吊り部材連結部材１６が構成される。このような取り付け態様においても、吊り部材１１０に装着されるナットは、上段フレーム材１１，１２における中空空間２５の上部領域Ｒ１に取り付けられ、下部領域Ｒ２を空き領域とすることができる。
【００３０】
再び図１及び図２に戻り、支持装置１は、さらに、下段フレーム材１３，１４の下面側に天井吊り下げ物１００を支持する支持部材４が取り付けられる。例えば、下段フレーム材１３には、所定の間隔で一対の支持部材４，４が取り付けており、下段フレーム材１４にも、所定の間隔で一対の支持部材４，４が取り付けられている。これらの支持部材４は、支持ボルト１７と、ナット１８とを備え、支持ボルト１７が下段フレーム材１３，１４の下面から下方へ延びるように取り付けられる。支持ボルト１７は、吊り部材１１０と略同径の雄螺子部材であり、下段フレーム材１３，１４に形成されているスリット２６の幅よりも小さい直径である。そして支持ボルト１７は、下段フレーム材１３，１４のスリット２６に差し込まれた状態で下段フレーム材１３，１４に支持される。ナット１８は、例えば軸方向の長さが一般的なナットよりも長いロングナットである。このナット１８は、支持ボルト１７を下段フレーム材１３，１４の下面に固定するためのものである。
【００３１】
図５は、下段フレーム材１３，１４に対する支持部材４の取り付け態様の一例を示す図である。支持部材４は、上述した支持ボルト１７及びナット１８の他に、矩形平板状の角ナット１９を有している。角ナット１９は、その中央に支持ボルト１７と螺合する雌螺子孔１９ａを有する。図５（ａ）に示すように、ナット１８は、予め支持ボルト１７の上部に装着される。このとき、ナット１８は、その上端部から、支持ボルト１７の上端部分を所定長さ以上突出させた状態に装着される。そしてナット１８から上方に突出した状態となる支持ボルト１７の上端部分に角ナット１９が装着される。角ナット１９は、その幅寸法が下段フレーム材１３，１４の上述した壁部２３，２４の間隔よりも小さく、中空空間２５の内側に収容可能である。そのため、図５（ｂ）に示すように、角ナット１９は、支持ボルト１７の上端部分に装着された状態で下段フレーム材１３，１４の内側に収容される。このとき、支持ボルト１７は、スリット２６に挿通された状態となる。
【００３２】
支持部材４の角ナット１９が下段フレーム材１３，１４の中空空間２５に挿入されると、図５（ｃ）に示すように、角ナット１９の周縁部がスリット２６によって分断された２つの壁部２１ａ，２１ｂと係合し、支持ボルト１７を吊り下げた状態で支持する。また、角ナット１９は、下段フレーム材１３，１４の内側に収容されると、その周縁部が壁部２３，２４と干渉するため、軸周りに回動しない状態となる。尚、ナット１８の直径は、下段フレーム材１３，１４に形成されているスリット２６の幅よりも大きい直径である。
【００３３】
このような支持部材４は、図５（ｃ）に示すように、下段フレーム材１３，１４の下側の領域に取り付けられる。すなわち、下段フレーム材１３，１４の内側には支持ボルト１７の上端部分と螺合した状態の角ナット１９が配置されており、その角ナット１９は、下段フレーム材１３，１４の中空空間２５を上部領域Ｒ３と下部領域Ｒ４とに二分割したときに下部領域Ｒ４に収まるように取り付けられる。本実施形態では、上部領域Ｒ３及び下部領域Ｒ４は、下段フレーム材１３，１４の内側の中空空間２５を上下に二等分した領域となっている。ただし、上部領域Ｒ３と下部領域Ｒ４とは、必ずしも中空空間２５を二等分した領域には限られず、一方が他方よりも大きい領域であっても構わない。このように支持部材４が下段フレーム材１３，１４の中空空間２５において下部領域Ｒ４に取り付けられることで、中空空間２５の上部領域Ｒ３が空き領域となる。
【００３４】
角ナット１９が下段フレーム材１３，１４の内側に収容されたとき、下段フレーム材１３，１４の下面に相当する壁部２１ａ，２１ｂとナット１８の上端部との間に隙間Ｄを形成しておくことにより、支持部材４を下段フレーム材１３，１４の長手方向に沿ってスライド移動させることができる。そして支持部材４の位置が決まれば、ナット１８を下段フレーム材１３，１４の下面に対して締め付けることにより、支持部材４を下段フレーム材１３，１４に固定することができる。
【００３５】
下段フレーム材１３，１４に取り付けられる支持部材４は、支持ボルト１７の下段近傍位置に天井吊り下げ物１００が取り付けられ、天井吊り下げ物１００を吊り下げた状態で支持する。例えば、天井吊り下げ物１００が空気調和機１０１である場合、空気調和機１０１の四隅の側面には吊り部材１１０などを取り付けるための取付片１０２が設けられている。支持部材４は、支持ボルト１７の下端部をその取付片１０２に固定することにより、天井吊り下げ物１００を支持する状態となる。
【００３６】
次に、上段フレーム材１１，１２と下段フレーム材１３，１４とを連結する直交連結部材１５について説明する。図６は、直交連結部材１５の取り付け態様の一例を示す図である。尚、図６では、上段フレーム材１２と下段フレーム材１４とを直交させた状態に連結する直交連結部材１５を例示している。この直交連結部材１５は、下段フレーム材１４の上面に固定されるベースプレート４０と、上段フレーム材１２の中空空間２５に収容した状態に配置されるスライドプレート４５と、ボルト５１，５３，５５と、ナット５２，５４，５６とを備える構成である。
【００３７】
下段フレーム材１４の上面において直交連結部材１５を取り付ける位置には、ボルト５３，５５を挿通するための２つの孔２８ａ，２８ｂが所定間隔で形成される。これらの孔２８ａ，２８ｂは、下段フレーム材１４の長手方向に沿ってＸ方向に形成される。
【００３８】
ベースプレート４０は、例えば平面視略正方形状の金属板であり、概ねその半分の領域が下段フレーム材１４の上面に接するように配置され、残りの半分の領域が下段フレーム材１４の上面からＹ方向へはみ出した状態に配置される。このベースプレート４０には、ボルト５１，５３，５５を挿通するための３つの孔４１，４２，４３が形成される。これら３つの孔４１，４２，４３のうち、孔４２，４３はボルト５３，５５を挿通するための孔であり、下段フレーム材１４の上面に形成された２つの孔２８ａ，２８ｂと同じ間隔に形成される。また、孔４１は、ボルト５１を挿通するための孔であり、孔４２からＹ方向に所定間隔の位置に形成される。つまり、孔４１，４２の中心を結び線と、孔４２，４３の中心を結ぶ線は、互いに直交する。尚、孔４１，４２の距離と、孔４２，４３の距離とを等しい距離としても良い。
【００３９】
スライドプレート４５は、例えば平面視長方形状の金属板であり、短辺の長さが上段フレーム材１２の中空空間２５の幅よりも短く形成される。このスライドプレート４５には、ボルト５１，５３を挿通するための２つの孔４６，４７が形成される。これらの２つの孔４６，４７の距離は、ベースプレート４０に形成される孔４１，４２の距離と等しくなるように形成される。
【００４０】
そしてベースプレート４０の孔４２，４３を下段フレーム材１４の孔２８ａ，２８ｂに合致させた状態で下段フレーム材１４の下側からボルト５３，５５を孔２８ａ，２８ｂに挿通し、さらにベースプレート４０の孔４２，４３に挿通する。孔４３から上方に突出するボルト５５の先端にはナット５６を装着する。これに対し、孔４２から上方に突出するボルト５３の先端には、さらにスライドプレート４５の孔４７を挿通し、スライドプレート４５の上方に突出する部分にナット５４を装着する。また、ボルト５１は、スライドプレート４５の上側から、スライドプレート４５の孔４６及びベースプレート４０の孔４１に挿通し、その先端に対してナット５２を装着する。このとき、少なくともナット５２，５４は、各ボルト５１，５３に対してきつく締め付けるのではなく、遊びのある緩い状態で各ボルト５１，５３に装着する。ただし、ボルト５５に装着されるナット５６は、予めきつく締め付けておいても良い。これにより、ベースプレート４０は、下段フレーム材１４の上面に対して連結された状態となる。
【００４１】
スライドプレート４５に取り付けられるボルト５１，５３とナット５２，５４とが遊びのある緩い状態に装着されることにより、スライドプレート４５は、ベースプレート４０との間に一定の間隔を保持することができる。そのため、スライドプレート４５のみを上段フレーム材１２の端部から内側の中空空間２５へ差し込むことができる。このとき、ボルト５１，５３が上段フレーム材１２のスリット２６の隙間を通るので、スライドプレート４５は、ボルト５１，５３とナット５２，５４とが連結された状態で上段フレーム材１２の内側へ進入することができる。またボルト５１，５３とナット５２，５４の締結状態が緩いため、スライドプレート４５は、上段フレーム材１２のスリット２６に沿ってＹ方向へ自由に移動可能な状態となる。このようにして直交連結部材１５は、上段フレーム材１２と下段フレーム材１４とを直交させた状態に連結する。そしてボルト５１とナット５２とが緩く締結されているとき、直交連結部材１５は、上段フレーム材１２の長手方向に沿って相対的に移動可能な状態となる。
【００４２】
図７は、上段フレーム材１２と下段フレーム材１４とを直交連結部材１５が連結した状態の断面構造を示す図である。図７に示すように、上段フレーム材１２の中空空間２５には、スライドプレート４５とナット５４とが配置される。尚、図７では、図示を省略しているが、ボルト５１のボルト頭部も上段フレーム材１２の中空空間２５に配置される。そしてスライドプレート４５、ナット５４及びボルト５１のボルト頭部は、上段フレーム材１２の中空空間２５において上部領域Ｒ１を除く下部領域Ｒ２に収まるように配置される。したがって、直交連結部材１５が上段フレーム材１２の長手方向（Ｙ方向）に沿って移動するとき、直交連結部材１５は、上部領域Ｒ１に取り付けられている吊り部材連結部材１６と干渉することがなく、吊り部材連結部材１６の取り付け位置を通過して移動することができる。つまり、直交連結部材１５は、上段フレーム材１２の長手方向に沿って相対的に移動するとき、上段フレーム材１２における吊り部材１１０の連結位置を通過することができるため、Ｙ方向に広い範囲で移動することができるのである。
【００４３】
また図７に示すように、下段フレーム材１４の中空空間２５には、ボルト５３及びボルト５５のボルト頭部が配置される。そしてボルト５３及びボルト５５のボルト頭部は、下段フレーム材１４の中空空間２５において下部領域Ｒ４を除く上部領域Ｒ３に収まるように配置される。したがって、支持部材４が下段フレーム材１４の長手方向（Ｘ方向）に移動するとき、支持部材４の角ナット１９及び支持ボルト１７の上端部がボルト５３及びボルト５５のボルト頭部と干渉することがなく、支持部材４は、直交連結部材１５の取り付け位置を通過して移動することができる。つまり、支持部材４、下段フレーム材１４の長手方向に沿って相対的に移動するとき、下段フレーム材１４における直交連結部材１５の設置位置を通過することができるため、Ｘ方向に広い範囲で移動することができるのである。
【００４４】
上記においては、上段フレーム材１２と下段フレーム材１４とを連結する直交連結部材１５を例示したが、他の位置に設けられる直交連結部材１５についても上記と同様である。
【００４５】
したがって、本実施形態の支持装置１は、図２に示すように、支持部材４が天井吊り下げ物１００を支持した状態において、下段フレーム材１３，１４を上段フレーム材１１，１２の長手方向に沿って移動させることにより、天井吊り下げ物１００の設置位置をＹ方向に沿って広い範囲で調整することができる。そして上段フレーム材１１，１２に対する下段フレーム材１３，１４の位置が決まれば、電動工具などを用いて上述したナット５２を締め付けることにより、ベースプレート４０とスライドプレート４５との間に上段フレーム材１１，１２の下面（壁部２１ａ，２１ｂ）が挟着し、下段フレーム材１３，１４を上段フレーム材１１，１２に対して固定することができる。
【００４６】
また、本実施形態の支持装置１は、天井吊り下げ物１００を支持している支持部材４を下段フレーム材１３，１４の長手方向に沿って移動させることにより、天井吊り下げ物１００の設置位置をＸ方向に沿って広い範囲で調整することができる。そして下段フレーム材１３，１４に対する支持部材４の位置が決まれば、ナット１８を下段フレーム材１３，１４の下面に対して締め付けることにより、ナット１８と角ナット１９との間に下段フレーム材１３，１４の下面（壁部２１ａ，２１ｂ）が挟着し、支持部材４を下段フレーム材１３，１４に対して固定することができる。
【００４７】
ところで、下段フレーム材１３，１４を上段フレーム材１１，１２の長手方向に沿って移動させるとき、一対の下段フレーム材１３，１４を同時に移動させることが好ましい。そのため、本実施形態の支持装置１は、一対の下段フレーム材１３，１４を所定の間隔で相互に連結する連結バンド８を備えている。また、支持部材４を下段フレーム材１３，１４の長手方向に沿って移動させるときにも、各下段フレーム材１３，１４に設けられている一対の支持部材４を同時に移動させることが好ましい。そのため、本実施形態の支持装置１は、各下段フレーム材１３，１４に装着される一対の支持部材４を所定の間隔で相互に連結して一対の支持部材４を連動させる連動部材７を備えている。このような連動部材７は、２つの下段フレーム材１３，１４のそれぞれに対して設けられる。
【００４８】
図８は、連結バンド８及び連動部材７の取り付け態様を例示する図である。連結バンド８は、例えば天井吊り下げ物１００のＹ方向の寸法に応じた長さを有する金属製のバンドである。この連結バンド８は、両端部にＬ字状に折り曲げられた係止部を有し、その係止部を一対の下段フレーム材１３，１４の側面に係合させるように取り付けられる。例えば、連結バンド８は、一対の下段フレーム材１３，１４の中央に配置され、ビス９などを用いて下段フレーム材１３，１４の上面に固定される。これにより、一対の下段フレーム材１３，１４は、一体構造となり、一方のフレーム材がＹ方向に沿って移動すると、それに連動して他方のフレーム材もＹ方向に沿って移動するようになる。したがって、作業者は、天井吊り下げ物１００のＹ方向の位置を調整する際、２つの下段フレーム材１３，１４を同時に移動させる必要がなく、一方の下段フレーム材１３又は１４を移動させるだけで２つの下段フレーム材１３，１４を同時に移動させることができるようになり、作業効率が向上する。
【００４９】
また、連動部材７は、例えば天井吊り下げ物１００のＸ方向の寸法に応じた長さを有する金属製の部材である。この連動部材７は、その両端部に、支持ボルト１７の外周面と係合するＵ字状の係合部を有している。連動部材７は、そのＵ字状の係合部を、下段フレーム材１３，１４の下面とナット１８との隙間の支持ボルト１７に差し込むことによって装着される。尚、連動部材７には、必要に応じて、下段フレーム材１３，１４の下面とナット１８との隙間から離脱しないようにするための離脱防止機構を設けても良い。連動部材７の両端部において係合部が支持ボルト１７の外周面と係合した状態になると、各下段フレーム材１３，１４に取り付けられている一対の支持部材４は、Ｘ方向へ移動する際に互いに連動するようになる。すなわち、一対の支持部材４のうち、一方の支持部材４がＸ方向に沿って移動すると、それに連動して他方の支持部材４もＸ方向に沿って移動するようになる。したがって、作業者は、天井吊り下げ物１００のＸ方向の位置を調整する際、４つの支持部材４を同時に移動させる必要がなく、各下段フレーム材１３，１４に設けられている一方の支持部材４をＸ方向へ移動させるだけで４つの支持部材４を同時に移動させることができるようになり、作業効率が向上する。
【００５０】
図９は、本実施形態の支持装置１を使用した場合の天井吊り下げ物１００のＹ方向の移動範囲を示す図である。図９（ａ）は、天井吊り下げ物１００を＋Ｙ方向へ移動させた状態を示している。支持装置１は、上段フレーム材１１，１２に対して下段フレーム材１３，１４を相対的に＋Ｙ方向へ移動させることにより、天井吊り下げ物１００の設置位置を＋Ｙ方向へ移動させることができる。このとき、直交連結部材１５は、上段フレーム材１１，１２において吊り部材１１０が連結されている位置を超えて＋Ｙ方向へ移動することができる。そのため、天井吊り下げ物１００を＋Ｙ方向へ移動させる際には、図９（ａ）に示すように、下段フレーム材１３を上段フレーム材１１，１２の＋Ｙ方向側の端部近傍位置まで移動させることができる。
【００５１】
また、図９（ｂ）は、天井吊り下げ物１００を−Ｙ方向へ移動させた状態を示している。支持装置１は、上段フレーム材１１，１２に対して下段フレーム材１３，１４を相対的に−Ｙ方向へ移動させることにより、天井吊り下げ物１００の設置位置を−Ｙ方向へ移動させることができる。このとき、直交連結部材１５は、上段フレーム材１１，１２において吊り部材１１０が連結されている位置を超えて−Ｙ方向へ移動することができる。そのため、天井吊り下げ物１００を−Ｙ方向へ移動させる際には、図９（ｂ）に示すように、下段フレーム材１４を上段フレーム材１１，１２の−Ｙ方向側の端部近傍位置まで移動させることができる。
【００５２】
図１０は、本実施形態の支持装置１を使用した場合の天井吊り下げ物１００のＸ方向の移動範囲を示す図である。図１０（ａ）は、天井吊り下げ物１００を＋Ｘ方向へ移動させた状態を示している。支持装置１は、下段フレーム材１３，１４に対して支持部材４を＋Ｘ方向へ移動させることにより、天井吊り下げ物１００の設置位置を＋Ｘ方向へ移動させることができる。このとき、支持部材４は、下段フレーム材１３，１４において直交連結部材１５が配置されている位置を超えて＋Ｘ方向へ移動することができる。そのため、天井吊り下げ物１００を＋Ｘ方向に移動させる際には、図１０（ａ）に示すように、支持部材４を下段フレーム材１３，１４の＋Ｘ方向側の端部近傍位置まで移動させることができる。
【００５３】
また、図１０（ｂ）は、天井吊り下げ物１００を−Ｘ方向へ移動させた状態を示している。支持装置１は、下段フレーム材１３，１４に対して支持部材４を−Ｘ方向へ移動させることにより、天井吊り下げ物１００の設置位置を−Ｘ方向へ移動させることができる。このとき、支持部材４は、下段フレーム材１３，１４において直交連結部材１５が配置されている位置を超えて−Ｘ方向へ移動することができる。そのため、天井吊り下げ物１００を−Ｘ方向に移動させる際には、図１０（ｂ）に示すように、支持部材４を下段フレーム材１３，１４の−Ｘ方向側の端部近傍位置まで移動させることができる。
【００５４】
図１１は、本実施形態の支持装置１による天井吊り下げ物１００の位置調整可能な範囲を示す図である。図１１では、天井吊り下げ物１００の設置可能位置２００を斜線領域で示している。上述したように、本実施形態の支持装置１は、上段フレーム材１１，１２に形成されたスリット２６に沿って直交連結部材１５を上段フレーム材１１，１２の長手方向へ相対移動させるとき、吊り部材連結部材１６及び直交連結部材１５が互いに干渉することなく、直交連結部材１５を上段フレーム材１１，１２の長手方向端部近傍まで移動させることが可能であり、また、下段フレーム材１３，１４に形成されたスリット２６に沿って支持部材４を下段フレーム材１３，１４の長手方向へ相対移動させるとき、支持部材４及び直交連結部材１５が互いに干渉することなく、支持部材４を下段フレーム材１３，１４の長手方向端部近傍まで移動させることが可能である。そのため、図１１に示すように、天井吊り下げ物１００の設置可能位置２００は、支持装置１のＸＹ平面内における占有面積と略同等である。つまり、本実施形態の支持装置１は、天井吊り下げ物１００の可動範囲が従来よりも大きいため、天井吊り下げ物１００を簡単且つ効率的に位置調整することが可能であり、従来よりも作業効率を向上させることができるという利点がある。
【００５５】
また、本実施形態の支持装置１は、吊り部材連結部材１６を取り付けるために上段フレーム材１１，１２に設ける孔２７の位置を調整することにより、吊り部材連結部材１６の設置間隔を変更することが可能である。また支持装置１は、直交連結部材１５を取り付けるために下段フレーム材１３，１４に設ける孔２８ａ，２８ｂの位置を調整することにより、一対の上段フレーム材１１，１２の設置間隔を変更することが可能である。そのため、本実施形態の支持装置１は、天井構造に対する吊り部材１１０の取り付け位置が数ｃｍ以上ずれていたとしても、その吊り部材１１０を利用して天井吊り下げ物１００を適切な位置に吊り下げた状態で支持することができる。
【００５６】
さらに本実施形態の支持装置１は、一対の下段フレーム材１３，１４の設置間隔及び各下段フレーム材１３，１４の下面側に装着される一対の支持部材４の設置間隔を、天井吊り下げ物１００のサイズや設置方向に応じて適宜調整することも可能である。
【００５７】
したがって、例えば建造物が新築される場合において、天井吊り下げ物１００のサイズや設置方向が初期の設計図面から変更になったとしても、初期の設計図面に基づいてデッキプレートに設置されたインサートに取り付けられる吊りボルトなどの吊り部材１１０を利用して支持装置１を設置することが可能であり、しかも支持装置１が天井吊り下げ物１００を設計変更後の適切な位置で支持することができるようになる。それ故、作業者にとっては、最新の設計図面に基づいて天井構造にあと施工でアンカーを設置する作業などを行う必要がなくなり、効率的に作業を進めることができる。
【００５８】
また、本実施形態では、直交連結部材１５が上段フレーム材１１，１２における中空空間２５の下部領域Ｒ２を占有して上段フレーム材１１，１２の下面に取り付けられ、吊り部材連結部材１６が上段フレーム材１１，１２における中空空間２５の下部領域Ｒ２を除く上部領域Ｒ１を占有して吊り部材１１０を上段フレーム材１１，１２の上面に連結するように配置される。そのため、直交連結部材１５が上段フレーム材１１，１２の長手方向に移動するときには、吊り部材連結部材１６と干渉せずに、直交連結部材１５を広い範囲で移動させることができるのである。
【００５９】
また、本実施形態では、直交連結部材１５が下段フレーム材１３，１４における中空空間２５の上部領域Ｒ３を占有して下段フレーム材１３，１４の上面に取り付けられ、支持部材４が下段フレーム材１３，１４における中空空間２５の上部領域Ｒ３を除く下部領域Ｒ４を占有して天井吊り下げ物１００を下段フレーム材１３，１４の下面に連結するように配置される。そのため、支持部材４が下段フレーム材１３，１４の長手方向に移動するときには、直交連結部材１５と干渉せずに、支持部材４を広い範囲で移動させることができる。
【００６０】
（第２実施形態）
次に本発明の第２実施形態について説明する。上述した第１実施形態では、上段フレーム材１１，１２及び下段フレーム材１３，１４の双方がスリット２６の形成されている面を下面にして構成される支持装置１について説明した。これに対して、本実施形態では、上段フレーム材１１，１２がスリット２６の形成されている面を下面にして設置され、下段フレーム材１３，１４がスリット２６の形成されている面を上面にして設置される支持装置１の一形態について説明する。
【００６１】
図１２は、第２実施形態の支持装置１が天井吊り下げ物１００を吊り下げて支持する状態を示す斜視図である。この支持装置１における矩形枠体２は、上段フレーム材１１，１２がスリット２６の形成された面を下面にして設置されると共に、下段フレーム材１３，１４がスリット２６の形成された面を上面にして設置され、それら上段フレーム材１１，１２及び下段フレーム材１３，１４が直交連結部材１５によって連結されることで構成される。そして本実施形態の支持装置１は、直交連結部材１５が上段フレーム材１１，１２の長手方向に沿って相対的に移動可能であると共に、下段フレーム材１３，１４の長手方向に沿って相対的に移動可能である。このように直交連結部材１５がＸ方向及びＹ方向の２方向に対して相対移動することにより、支持装置１は、天井吊り下げ物１００の位置を調整できるようになっている。
【００６２】
図１３は、本実施形態において下段フレーム材１３，１４に対する支持部材４の取り付け態様を示す図である。本実施形態では、支持部材４が下段フレーム材１３，１４の下面（スリット２６の形成されていない面）に固定される。この支持部材４は、図１３（ａ）に示すように、支持ボルト１７と、ナット１８と、角ワッシャー５７と、ナット５８とを備えている。支持ボルト１７及びナット１８は、第１実施形態で説明したものと同様である。角ワッシャー５７は、矩形平板状のワッシャーであり、その中央に支持ボルト１７を挿通する孔５７ａを有する。ナット５８は、支持ボルト１７の上端部に装着されるナットである。また本実施形態では、図１３（ａ）に示すように、下段フレーム材１３，１４の下面（壁面２２）に、支持ボルト１７を挿通する孔２８が形成される。
【００６３】
図１３（ａ）に示すように、ナット１８が予め支持ボルト１７の上部に装着される。このとき、ナット１８は、その上端部から、支持ボルト１７の上端部分を所定長さ以上突出させた状態に装着される。そしてナット１８から上方に突出した状態となる支持ボルト１７の上端部分を下段フレーム材１３，１４の孔２８に挿通し、下段フレーム材１３，１４の内側で支持ボルト１７の上端部分に角ワッシャー５７を装着した後、支持ボルト１７に対してナット５８を装着する。そしてナット５８及びナット１８を締め付けることにより、支持部材４が下段フレーム材１３，１４に対して固定される。
【００６４】
図１３（ｂ）は、支持部材４が取り付けられた下段フレーム材１３，１４の断面構造を示す図である。図１３（ｂ）に示すように、支持部材４が下段フレーム材１３，１４に取り付けられると、角ワッシャー５７、ナット５８及び支持ボルト１７の上端部は、下段フレーム材１３，１４の中空空間２５を上部領域Ｒ３と下部領域Ｒ４とに二分割したときに下部領域Ｒ４に収まる状態となり、中空空間２５の上部領域Ｒ３が空き領域となる。
【００６５】
次に、上段フレーム材１１，１２と下段フレーム材１３，１４とを連結する直交連結部材１５について説明する。図１４は、本実施形態における直交連結部材１５の取り付け態様の一例を示す図である。尚、図１４では、上段フレーム材１２と下段フレーム材１４とを直交させた状態に連結する直交連結部材１５を例示している。この直交連結部材１５は、上段フレーム材１２の下面側及び下段フレーム材１４の上面側に取り付けられるベースプレート４０と、上段フレーム材１２の中空空間２５に収容した状態に配置される第１スライドプレート４５ａと、下段フレーム材１４の中空空間２５に収容した状態に配置される第２スライドプレート４５ｂと、ボルト５１，５３，５５と、ナット５２，５４，５６とを備える構成である。尚、ベースプレート４０は、第１実施形態で説明したものと同様である。
【００６６】
第１スライドプレート４５ａは、例えば平面視長方形状の金属板であり、短辺の長さが上段フレーム材１２の中空空間２５の幅よりも短く形成される。第１スライドプレート４５には、ボルト５１，５３を挿通するための２つの孔４６ａ，４７ａが形成される。これらの２つの孔４６ａ，４７ａの距離は、ベースプレート４０に形成される孔４１，４２の距離と等しくなるように形成される。
【００６７】
第２スライドプレート４５ｂは、例えば第１スライドプレート４５ａと同様に、平面視長方形状の金属板であり、短辺の長さが下段フレーム材１４の中空空間２５の幅よりも短く形成される。第２スライドプレート４５には、ボルト５３，５５を挿通するための２つの孔４６ｂ，４７ｂが形成される。これらの２つの孔４６ｂ，４７ｂの距離は、ベースプレート４０に形成される孔４２，４３の距離と等しくなるように形成される。
【００６８】
第１スライドプレート４５ａは、ベースプレート４０の上面側に配置されると共に、２つの孔４６ａ，４７ａがベースプレート４０の孔４１，４２に合致するように配置される。第２スライドプレート４５ｂは、ベースプレート４０の下面側に配置されると共に、２つの孔４６ｂ，４７ｂがベースプレート４０の孔４２，４３に合致するように配置される。そしてボルト５１は、第１スライドプレート４５ａの上面側から、孔４６ａ，４１に挿通され、ベースプレート４０の下面側に突出するボルト先端部にナット５２が装着される。またボルト５３は、第２スライドプレート４５ｂの下面側から、孔４６ｂ，４２，４７ａに挿通され、第１スライドプレート４５ａの上面側に突出するボルト先端部にナット５４が装着される。さらにボルト５５は、第２スライドプレート４５ｂの下面側から、孔４７ｂ，４３に挿通され、ベースプレート４０の上面側に突出するボルト先端部にナット５６が装着される。このとき、ボルト５１，５３，５５とナット５２，５４，５６は、互いにきつく締め付けるのではなく、遊びのある緩い状態で装着する。
【００６９】
第１スライドプレート４５ａ及び第２スライドプレート４５ｂに取り付けられるボルト５１，５３，５５とナット５２，５４，５６とが遊びのある緩い状態に装着されることにより、第１スライドプレート４５ａ及び第２スライドプレート４５ｂは、それぞれベースプレート４０との間に一定の間隔を保持することができる。そのため、第１スライドプレート４５ａを上段フレーム材１２の端部から内側の中空空間２５へ差し込むことができると共に、第２スライドプレート４５ｂを下段フレーム材１４の端部から内側の中空空間２５へ差し込むことができる。その結果、直交連結部材１５は、上段フレーム材１２の長手方向に沿って相対的に移動可能であり、且つ、下段フレーム材１４の長手方向に沿って相対的に移動可能な状態で、上段フレーム材１２と下段フレーム材１４とを互いに直交させた状態に連結する。
【００７０】
上記のように取り付けられる直交連結部材１５の断面構造は、第１実施形態で説明したものと同様である。すなわち、上段フレーム材１２の中空空間２５には、第１スライドプレート４５ａとナット５４とボルト５１のボルト頭部とが配置される。そして第１スライドプレート４５ａ、ナット５４及びボルト５１のボルト頭部は、上段フレーム材１２の中空空間２５において上部領域Ｒ１を除く下部領域Ｒ２に収まるように配置される。したがって、直交連結部材１５が上段フレーム材１２の長手方向（Ｙ方向）に沿って移動するとき、直交連結部材１５は、上部領域Ｒ１に取り付けられている吊り部材連結部材１６と干渉することがなく、吊り部材連結部材１６の取り付け位置を通過して移動することができる。つまり、直交連結部材１５は、上段フレーム材１２の長手方向に沿って相対的に移動するとき、上段フレーム材１２における吊り部材１１０の連結位置を通過することができるため、Ｙ方向に広い範囲で移動することができるのである。
【００７１】
また、下段フレーム材１４の中空空間２５には、第２スライドプレート４５ｂとボルト５３，５５のボルト頭部とが配置される。そして第２スライドプレート４５ｂ及びボルト５３，５５のボルト頭部は、下段フレーム材１４の中空空間２５において下部領域Ｒ４を除く上部領域Ｒ３に収まるように配置される。したがって、直交連結部材１５が下段フレーム材１４の長手方向（Ｘ方向）に沿って移動するとき、直交連結部材１５は、下部領域Ｒ４に取り付けられている支持部材４と干渉することがなく、支持部材４の取り付け位置を通過して移動することができる。つまり、直交連結部材１５は、下段フレーム材１４の長手方向に沿って相対的に移動するとき、下段フレーム材１４における支持部材４の固定位置を通過することができるため、Ｘ方向に広い範囲で移動することができるのである。
【００７２】
上記においては、上段フレーム材１２と下段フレーム材１４とを連結する直交連結部材１５を例示したが、他の位置に設けられる直交連結部材１５についても上記と同様である。
【００７３】
したがって、本実施形態の支持装置１は、図１２に示すように、支持部材４が天井吊り下げ物１００を支持した状態において、下段フレーム材１３，１４をＸ方向及びＹ方向にスライド移動させることが可能であり、天井吊り下げ物１００の設置位置をＸ方向及びＹ方向の広い範囲で調整することができる。そして上段フレーム材１１，１２に対する下段フレーム材１３，１４の位置が決まれば、電動工具などを用いて上述したナット５２，５６を締め付けることにより、直交連結部材１５を上段フレーム材１１，１２及び下段フレーム材１３，１４に固定することができる。
【００７４】
また、本実施形態においても、下段フレーム材１３，１４を上段フレーム材１１，１２の長手方向に沿って移動させるときには、一対の下段フレーム材１３，１４を一体的に移動させるように構成することが好ましい。そのため、本実施形態の支持装置１は、第１実施形態で説明したように、一対の下段フレーム材１３，１４を所定の間隔で相互に連結する連結バンド８を備えている。この連結バンド８は、例えば、ビス９などを用いて下段フレーム材１３，１４の側面に固定される。これにより、一対の下段フレーム材１３，１４は、一体構造となり、一方のフレーム材がＹ方向に沿って移動すると、それに連動して他方のフレーム材もＹ方向に沿って移動するようになる。したがって、作業者は、天井吊り下げ物１００のＹ方向の位置を調整する際、２つの下段フレーム材１３，１４を同時に移動させる必要がなく、一方の下段フレーム材１３又は１４を移動させるだけで２つの下段フレーム材１３，１４を同時に移動させることができるようになり、作業効率が向上する。
【００７５】
図１５は、本実施形態の支持装置１を使用した場合の天井吊り下げ物１００のＹ方向の移動範囲を示す図である。図１５（ａ）は、天井吊り下げ物１００を＋Ｙ方向へ移動させた状態を示している。支持装置１は、上段フレーム材１１，１２に対して下段フレーム材１３，１４を相対的に＋Ｙ方向へ移動させることにより、天井吊り下げ物１００の設置位置を＋Ｙ方向へ移動させることができる。このとき、直交連結部材１５は、上段フレーム材１１，１２において吊り部材１１０が連結されている位置を超えて＋Ｙ方向へ移動することができる。そのため、天井吊り下げ物１００を＋Ｙ方向へ移動させる際には、図１５（ａ）に示すように、下段フレーム材１３を上段フレーム材１１，１２の＋Ｙ方向側の端部近傍位置まで移動させることができる。
【００７６】
また、図１５（ｂ）は、天井吊り下げ物１００を−Ｙ方向へ移動させた状態を示している。支持装置１は、上段フレーム材１１，１２に対して下段フレーム材１３，１４を相対的に−Ｙ方向へ移動させることにより、天井吊り下げ物１００の設置位置を−Ｙ方向へ移動させることができる。このとき、直交連結部材１５は、上段フレーム材１１，１２において吊り部材１１０が連結されている位置を超えて−Ｙ方向へ移動することができる。そのため、天井吊り下げ物１００を−Ｙ方向へ移動させる際には、図１５（ｂ）に示すように、下段フレーム材１４を上段フレーム材１１，１２の−Ｙ方向側の端部近傍位置まで移動させることができる。
【００７７】
図１６は、本実施形態の支持装置１を使用した場合の天井吊り下げ物１００のＸ方向の移動範囲を示す図である。図１６（ａ）は、天井吊り下げ物１００を＋Ｘ方向へ移動させた状態を示している。支持装置１は、上段フレーム材１１，１２に対して下段フレーム材１３，１４を相対的に＋Ｘ方向へ移動させることにより、天井吊り下げ物１００の設置位置を＋Ｘ方向へ移動させることができる。このとき、直交連結部材１５は、下段フレーム材１３，１４において支持部材４が取り付けられている位置を超えて相対的に−Ｘ方向へ移動させることができる。そのため、天井吊り下げ物１００を＋Ｘ方向へ移動させる際には、図１６（ａ）に示すように、下段フレーム材１３，１４の−Ｘ方向側の端部が上段フレーム材１２の側面と同じ位置となるまで移動させることができる。
【００７８】
また、図１６（ｂ）は、天井吊り下げ物１００を−Ｘ方向へ移動させた状態を示している。支持装置１は、上段フレーム材１１，１２に対して下段フレーム材１３，１４を相対的に−Ｘ方向へ移動させることにより、天井吊り下げ物１００の設置位置を−Ｘ方向へ移動させることができる。このとき、直交連結部材１５は、下段フレーム材１３，１４において支持部材４が取り付けられている位置を超えて相対的に＋Ｘ方向へ移動させることができる。そのため、天井吊り下げ物１００を−Ｘ方向へ移動させる際には、図１６（ｂ）に示すように、下段フレーム材１３，１４の＋Ｘ方向側の端部が上段フレーム材１１の側面と同じ位置となるまで移動させることができる。
【００７９】
したがって、本実施形態の支持装置１は、第１実施形態と同様に、天井吊り下げ物１００の可動範囲が従来よりも大きいため、天井吊り下げ物１００を簡単且つ効率的に位置調整することが可能であり、従来よりも作業効率を向上させることができるという利点がある。
【００８０】
尚、本実施形態において上述した点以外については、第１実施形態と同様であるため、詳しい説明を省略する。
【００８１】
（第３実施形態）
次に本発明の第３実施形態について説明する。本実施形態では、上段フレーム材１１，１２及び下段フレーム材１３，１４の双方がスリット２６の形成されている面を上面にして設置される支持装置１の一形態について説明する。
【００８２】
図１７は、第３実施形態の支持装置１が天井吊り下げ物１００を吊り下げて支持する状態を示す斜視図である。この支持装置１における矩形枠体２は、上段フレーム材１１，１２がスリット２６の形成された面を上面にして設置されると共に、下段フレーム材１３，１４がスリット２６の形成された面を上面にして設置され、それら上段フレーム材１１，１２及び下段フレーム材１３，１４が直交連結部材１５によって連結されることで構成される。そして本実施形態の支持装置１は、直交連結部材１５が下段フレーム材１３，１４の長手方向に沿って相対的に移動可能である。また、本実施形態の支持装置１は、吊り部材連結部材１６を上段フレーム材１１，１２の長手方向に沿って相対的に移動可能である。このような相対移動によって、本実施形態の支持装置１は、天井吊り下げ物１００の位置をＸＹ平面内で調整できるようになっている。
【００８３】
図１８は、本実施形態において上段フレーム材１１，１２に対する吊り部材連結部材１６の取り付け態様を示す図である。本実施形態では、吊り部材連結部材１６が上段フレーム材１１，１２の上面（スリット２６の形成されている壁部２１ａ，２１ｂ）に対してスライド可能に取り付けられる。
【００８４】
図１８（ａ）に示すように、上段フレーム材１１，１２に取り付けられる吊り部材連結部材１６は、吊り部材１１０を連結して保持する連結保持金具３０と、ボルト３４と、角ワッシャー５７と、ナット３５とを備えている。角ワッシャー５７には、ボルト３４を挿通可能な孔５７ａが形成されている。そして連結保持金具３０及びナット３５が上段フレーム材１１，１２の上面側に配置され、角ワッシャー５７とボルト３４のボルト頭部とが上段フレーム材１１，１２の中空空間２５に配置される。すなわち、ボルト３４は、角ワッシャー５７の下面側から孔５７ａ，３２に挿通され、連結保持金具３０の上面から突出するボルト先端部にナット３５が装着される。その状態で角ワッシャー５７が上段フレーム材１１，１２の中空空間２５に差し込まれることにより、吊り部材連結部材１６は上段フレーム材１１，１２の上面側に設置される。
【００８５】
図１８（ｂ）は、吊り部材連結部材１６が上段フレーム材１１，１２の上面に取り付けられた状態の断面構造を示している。図１８（ｂ）に示すように、吊り部材連結部材１６は、上段フレーム材１１，１２の上側の領域に取り付けられる。特に、上段フレーム材１１，１２の内側には、ボルト３４のボルト頭部３４ａが配置され、このボルト頭部３４ａは、上段フレーム材１１，１２の中空空間２５の下部領域Ｒ２を除く上部領域Ｒ１に収まるように取り付けられる。このように吊り部材連結部材１６が上段フレーム材１１，１２の中空空間２５において上部領域Ｒ１に取り付けられることで、中空空間２５の下部領域Ｒ２が空き領域となる。
【００８６】
尚、本実施形態において上段フレーム材１１，１２と下段フレーム材１３，１４とを直交した状態に連結する直交連結部材１５は、第１実施形態で説明したものを上下反転させた状態で取り付けられる。また、本実施形態において下段フレーム材１３，１４に対する支持部材４の取り付け態様は、第２実施形態で説明したものと同様である。
【００８７】
図１９は、本実施形態の支持装置１を使用した場合の天井吊り下げ物１００のＹ方向の移動範囲を示す図である。図１９（ａ）は、天井吊り下げ物１００を＋Ｙ方向へ移動させた状態を示している。支持装置１は、吊り部材連結部材１６を上段フレーム材１１，１２の長手方向に沿って相対的に移動させることが可能である。ただし、吊り部材連結部材１６は、吊り部材１１０が連結されることにより、その位置が固定されている。そのため、本実施形態の支持装置１は、上段フレーム材１１，１２をＹ方向へ移動させることにより、天井吊り下げ物１００の設置位置を＋Ｙ方向へ移動させることができる。このとき、直交連結部材１５は、上段フレーム材１１，１２において吊り部材１１０が連結されている位置を超えて＋Ｙ方向へ移動することができる。そのため、天井吊り下げ物１００を＋Ｙ方向へ移動させる際には、図１９（ａ）に示すように、吊り部材連結部材１６が上段フレーム材１１，１２の−Ｙ方向側の端部近傍位置となるまで上段フレーム材１１，１２を＋Ｙ方向へ移動させることができる。
【００８８】
また、図１９（ｂ）は、天井吊り下げ物１００を−Ｙ方向へ移動させた状態を示している。支持装置１は、上段フレーム材１１，１２を−Ｙ方向へ移動させることにより、天井吊り下げ物１００の設置位置を−Ｙ方向へ移動させることができる。このとき、直交連結部材１５は、上段フレーム材１１，１２において吊り部材１１０が連結されている位置を超えて−Ｙ方向へ移動することができる。そのため、天井吊り下げ物１００を−Ｙ方向へ移動させる際には、図１９（ｂ）に示すように、吊り部材連結部材１６が上段フレーム材１１，１２の＋Ｙ方向側の端部近傍位置となるまで上段フレーム材１１，１２を−Ｙ方向へ移動させることができる。
【００８９】
図２０は、本実施形態の支持装置１を使用した場合の天井吊り下げ物１００のＸ方向の移動範囲を示す図である。図２０（ａ）は、天井吊り下げ物１００を＋Ｘ方向へ移動させた状態を示している。支持装置１は、上段フレーム材１１，１２に対して下段フレーム材１３，１４を相対的に＋Ｘ方向へ移動させることにより、天井吊り下げ物１００の設置位置を＋Ｘ方向へ移動させることができる。このとき、直交連結部材１５は、下段フレーム材１３，１４において支持部材４が取り付けられている位置を超えて相対的に−Ｘ方向へ移動させることができる。そのため、天井吊り下げ物１００を＋Ｘ方向へ移動させる際には、図２０（ａ）に示すように、下段フレーム材１３，１４の−Ｘ方向側の端部が上段フレーム材１２の側面と同じ位置となるまで移動させることができる。
【００９０】
また、図２０（ｂ）は、天井吊り下げ物１００を−Ｘ方向へ移動させた状態を示している。支持装置１は、上段フレーム材１１，１２に対して下段フレーム材１３，１４を相対的に−Ｘ方向へ移動させることにより、天井吊り下げ物１００の設置位置を−Ｘ方向へ移動させることができる。このとき、直交連結部材１５は、下段フレーム材１３，１４において支持部材４が取り付けられている位置を超えて相対的に＋Ｘ方向へ移動させることができる。そのため、天井吊り下げ物１００を−Ｘ方向へ移動させる際には、図２０（ｂ）に示すように、下段フレーム材１３，１４の＋Ｘ方向側の端部が上段フレーム材１１の側面と同じ位置となるまで移動させることができる。
【００９１】
したがって、本実施形態の支持装置１は、第１実施形態及び第２実施形態と同様に、天井吊り下げ物１００の可動範囲が従来よりも大きいため、天井吊り下げ物１００を簡単且つ効率的に位置調整することが可能であり、従来よりも作業効率を向上させることができるという利点がある。
【００９２】
尚、本実施形態において上述した点以外については、第１実施形態又は第２実施形態と同様であるため、詳しい説明を省略する。
【００９３】
（第４実施形態）
次に本発明の第４実施形態について説明する。本実施形態では、上段フレーム材１１，１２がスリット２６の形成されている面を上面にして設置され、下段フレーム材１３，１４がスリット２６の形成されている面を下面にして設置される支持装置１の一形態について説明する。
【００９４】
図２１は、第４実施形態の支持装置１が天井吊り下げ物１００を吊り下げて支持する状態を示す斜視図である。この支持装置１における矩形枠体２は、上段フレーム材１１，１２がスリット２６の形成された面を上面にして設置されると共に、下段フレーム材１３，１４がスリット２６の形成された面を下面にして設置され、それら上段フレーム材１１，１２及び下段フレーム材１３，１４が直交連結部材１５によって連結されることで構成される。そして本実施形態の支持装置１では、支持部材４が下段フレーム材１３，１４の長手方向に沿って移動可能であり、また吊り部材連結部材１６が上段フレーム材１１，１２の長手方向に沿って相対的に移動可能である。このような相対移動によって、本実施形態の支持装置１は、天井吊り下げ物１００の位置をＸＹ平面内で調整できるようになっている。
【００９５】
図２２は、本実施形態の支持装置１における直交連結部材１５の取り付け態様を示す図である。尚、図２２では、上段フレーム材１２と下段フレーム材１４とを直交させた状態に連結する直交連結部材１５を例示している。この直交連結部材１５は、上段フレーム材１２の上面及び下段フレーム材１４の上面に固定されるベースプレート４０と、ボルト５１，５３，５５と、ナット５２，５４，５６とを備える構成である。
【００９６】
上段フレーム材１２の下面において直交連結部材１５を取り付ける位置には、ボルト５１，５３を挿通するための２つの孔２８ａ，２８ｂが所定間隔で形成される。また、下段フレーム材１４の上面において直交連結部材１５を取り付ける位置にも、ボルト５３，５５を挿通するための２つの孔２８ａ，２８ｂが所定間隔で形成される。ベースプレート４０は、第１実施形態で説明したものと同様であり、ボルト５１，５３，５５を挿通するための３つの孔４１，４２，４３が形成される。
【００９７】
そして上段フレーム材１２の孔２８ａ，２８ｂをベースプレート４０の孔４１，４２に合致させるようにして上段フレーム材１２をベースプレート４０の上面側に配置し、下段フレーム材１４の孔２８ａ，２８ｂをベースプレート４０の孔４２，４３に合致させるようにして下段フレーム材１４をベースプレート４０の下面側に配置する。その状態でボルト５１が上段フレーム材１２の上側から孔２８ｂ，４１に挿通され、ベースプレート４０の下面側に突出するボルト先端部にナット５２が装着される。また、ボルト５３は、下段フレーム材１４の下側から孔２８ａ，４２，２８ａに挿通され、上段フレーム材１２の内側に突出するボルト先端部にナット５４が装着される。さらに、ボルト５５は、下段フレーム材１４の下側から孔２８ｂ，４３に挿通され、ベースプレート４０の上面側に突出するボルト先端部にナット５６が装着される。このとき、ボルト５１，５３，５５とナット５２，５４，５６は、互いにきつく締め付けられた状態で固定される。すなわち、本実施形態の直交連結部材１５は、上段フレーム材１２と下段フレーム材１４とを予め固定した状態に設置される。
【００９８】
上記のように取り付けられる直交連結部材１５の断面構造は、第１実施形態又は第２実施形態で説明したものと同様である。すなわち、上段フレーム材１２の中空空間２５には、ナット５４とボルト５１のボルト頭部とが配置される。そしてナット５４及びボルト５１のボルト頭部は、上段フレーム材１２の中空空間２５において上部領域Ｒ１を除く下部領域Ｒ２に収まるように配置される。したがって、吊り部材連結部材１６が上段フレーム材１２の長手方向（Ｙ方向）に沿って相対的に移動するとき、直交連結部材１５は、上部領域Ｒ１に取り付けられている吊り部材連結部材１６と干渉することがない。
【００９９】
また、下段フレーム材１４の中空空間２５には、ボルト５３，５５のボルト頭部が配置される。そしてボルト５３，５５のボルト頭部は、下段フレーム材１４の中空空間２５において下部領域Ｒ４を除く上部領域Ｒ３に収まるように配置される。したがって、支持部材４が下段フレーム材１４の長手方向（Ｘ方向）に沿って移動するとき、直交連結部材１５は、下部領域Ｒ４に取り付けられている支持部材４と干渉することがない。
【０１００】
上記においては、上段フレーム材１２と下段フレーム材１４とを連結する直交連結部材１５を例示したが、他の位置に設けられる直交連結部材１５についても上記と同様である。
【０１０１】
したがって、本実施形態の支持装置１は、図２１に示すように、支持部材４が天井吊り下げ物１００を支持した状態において、吊り部材連結部材１６を上段フレーム材１１，１２の長手方向（Ｙ方向）に沿って相対移動させることができると共に、支持部材４を下段フレーム材１３，１４の長手方向（Ｘ方向）に沿って相対移動させることができる。そして上段フレーム材１１，１２に対する吊り部材連結部材１６の位置が決まれば、電動工具などを用いて上述したナット３５を締め付けることにより、吊り部材連結部材１６を上段フレーム材１１，１２に固定することができる。また、下段フレーム材１３，１４に対する支持部材４の位置が決まれば、ナット１８を下段フレーム材１３，１４の下面に対して締め付けることにより、支持部材４を下段フレーム材１３，１４に固定することができる。
【０１０２】
図２３は、本実施形態の支持装置１を使用した場合の天井吊り下げ物１００のＹ方向の移動範囲を示す図である。図２３（ａ）は、天井吊り下げ物１００を＋Ｙ方向へ移動させた状態を示している。支持装置１は、吊り部材連結部材１６を上段フレーム材１１，１２の長手方向に沿って相対的に移動させることが可能である。ただし、吊り部材連結部材１６は、吊り部材１１０が連結されることにより、その位置が固定される。そのため、本実施形態の支持装置１は、上段フレーム材１１，１２をＹ方向へ移動させることにより、天井吊り下げ物１００の設置位置を＋Ｙ方向へ移動させることができる。このとき、直交連結部材１５は、上段フレーム材１１，１２において吊り部材１１０が連結されている位置を超えて＋Ｙ方向へ移動することができる。そのため、天井吊り下げ物１００を＋Ｙ方向へ移動させる際には、図２３（ａ）に示すように、吊り部材連結部材１６が上段フレーム材１１，１２の−Ｙ方向側の端部近傍位置となるまで上段フレーム材１１，１２を＋Ｙ方向へ移動させることができる。
【０１０３】
また、図２３（ｂ）は、天井吊り下げ物１００を−Ｙ方向へ移動させた状態を示している。支持装置１は、上段フレーム材１１，１２を−Ｙ方向へ移動させることにより、天井吊り下げ物１００の設置位置を−Ｙ方向へ移動させることができる。このとき、直交連結部材１５は、上段フレーム材１１，１２において吊り部材１１０が連結されている位置を超えて−Ｙ方向へ移動することができる。そのため、天井吊り下げ物１００を−Ｙ方向へ移動させる際には、図２３（ｂ）に示すように、吊り部材連結部材１６が上段フレーム材１１，１２の＋Ｙ方向側の端部近傍位置となるまで上段フレーム材１１，１２を−Ｙ方向へ移動させることができる。
【０１０４】
図２４は、本実施形態の支持装置１を使用した場合の天井吊り下げ物１００のＸ方向の移動範囲を示す図である。図２４（ａ）は、天井吊り下げ物１００を＋Ｘ方向へ移動させた状態を示している。支持装置１は、下段フレーム材１３，１４に対して支持部材４を＋Ｘ方向へ移動させることにより、天井吊り下げ物１００の設置位置を＋Ｘ方向へ移動させることができる。このとき、支持部材４は、下段フレーム材１３，１４において直交連結部材１５が配置されている位置を超えて＋Ｘ方向へ移動することができる。そのため、天井吊り下げ物１００を＋Ｘ方向に移動させる際には、図２４（ａ）に示すように、支持部材４を下段フレーム材１３，１４の＋Ｘ方向側の端部近傍位置まで移動させることができる。
【０１０５】
また、図２４（ｂ）は、天井吊り下げ物１００を−Ｘ方向へ移動させた状態を示している。支持装置１は、下段フレーム材１３，１４に対して支持部材４を−Ｘ方向へ移動させることにより、天井吊り下げ物１００の設置位置を−Ｘ方向へ移動させることができる。このとき、支持部材４は、下段フレーム材１３，１４において直交連結部材１５が配置されている位置を超えて−Ｘ方向へ移動することができる。そのため、天井吊り下げ物１００を−Ｘ方向に移動させる際には、図２４（ｂ）に示すように、支持部材４を下段フレーム材１３，１４の−Ｘ方向側の端部近傍位置まで移動させることができる。
【０１０６】
尚、本実施形態において、支持部材４をＸ方向に移動させる際には、第１実施形態で説明した連動部材７を装着し、４つの支持部材４を連動させるようにして位置調整を行うことが好ましい。
【０１０７】
このように本実施形態の支持装置１は、第１乃至第３実施形態と同様に、天井吊り下げ物１００の可動範囲が従来よりも大きいため、天井吊り下げ物１００を簡単且つ効率的に位置調整することが可能であり、従来よりも作業効率を向上させることができるという利点がある。
【０１０８】
尚、本実施形態において上述した点以外については、第１乃至第３実施形態と同様であるため、詳しい説明を省略する。
【０１０９】
（変形例）
以上、本発明に関する一実施形態について説明したが、本発明は、上記実施形態で説明したものに限られない。すなわち、本発明は、上記実施形態で説明した構成以外にも種々の変形例を適用することが可能である。
【０１１０】
例えば上述した各実施形態では、上段フレーム材１１，１２及び下段フレーム材１３，１４において上面及び下面のいずれか一方にスリット２６が形成されている場合を例示した。しかし、これに限られるものではない。例えば、上段フレーム材１１，１２は、上面及び下面の双方にスリット２６が形成されるものを用いても良い。この場合、吊り部材連結部材１６は、上段フレーム材１１，１２の上面に形成されたスリット２６に沿ってＹ方向に移動可能となり、且つ、直交連結部材１５は、上段フレーム材１１，１２の下面に形成されたスリット２６に沿ってＹ方向に移動可能となる。また、下段フレーム材１３，１４についても上面及び下面の双方にスリット２６が形成されたものを用いても良い。この場合、直交連結部材１５は、下段フレーム材１３，１４の上面に形成されたスリット２６に沿ってＸ方向に移動可能となり、且つ、支持部材４は、下段フレーム材１３，１４の下面に形成されたスリット２６に沿ってＸ方向に移動可能となる。
【０１１１】
また上記各実施形態において説明したボルトとナットの位置は相互に入れ替えても良い。例えば、吊り部材連結部材１６を取り付けるときのボルト３４とナット３５の位置を相互に入れ替えても良いし、また、直交連結部材１５を取り付けるときのボルト５１，５３、５５とナット５２，５４，５６の位置を相互に入れ替えても良い。
【０１１２】
また上記実施形態において吊り部材１１０が取り付けられる天井構造は、天井スラブには限られない。例えば、天井空間に対して架台や構造物が取り付けられる場合には、そのような架台や構造物に対して吊り部材１１０が取り付けられていても構わない。
【０１１３】
また上記実施形態では、吊り部材１１０の一例として、吊りボルトを例示した。しかし、吊り部材１１０は、必ずしも吊りボルトに限られるものではなく、吊りボルトなどの雄螺子部材とは異なる棒状体であっても構わない。例えば、吊り部材１１０は、Ｈ形鋼や溝形鋼、アングル鋼などの鋼材で構成される支柱状の部材であっても構わない。
【符号の説明】
【０１１４】
１…支持装置、２…矩形枠体、４…支持部材、７…連動部材、８…連結バンド、１１，１２…上段フレーム材、１３，１４…下段フレーム材、１５…直交連結部材、１６…吊り部材連結部材、２５…中空空間、２６…スリット、１００…天井吊り下げ物、１１０…吊り部材。
【図１】
2020133363.tif 000003
【図２】
2020133363.tif 000004
【図３】
2020133363.tif 000005
【図４】
2020133363.tif 000006
【図５】
2020133363.tif 000007
【図６】
2020133363.tif 000008
【図７】
2020133363.tif 000009
【図８】
2020133363.tif 000010
【図９】
2020133363.tif 000011
【図１０】
2020133363.tif 000012
【図１１】
2020133363.tif 000013
【図１２】
2020133363.tif 000014
【図１３】
2020133363.tif 000015
【図１４】
2020133363.tif 000016
【図１５】
2020133363.tif 000017
【図１６】
2020133363.tif 000018
【図１７】
2020133363.tif 000019
【図１８】
2020133363.tif 000020
【図１９】
2020133363.tif 000021
【図２０】
2020133363.tif 000022
【図２１】
2020133363.tif 000023
【図２２】
2020133363.tif 000024
【図２３】
2020133363.tif 000025
【図２４】
2020133363.tif 000026